(57)【要約】【課題】ブリード孔の不純物による目詰りや不純物の内壁付着による動作不良を排除する。【解決手段】ダイアフラム１で開閉される弁部の上流側である一次側流路１１と弁部の下流側である二次側流路１２のうちの一次側流路１１と、ダイアフラム１の背後の背圧室３とをブリード孔２１で連通させるとともに、背圧室３に連通するパイロット孔２０を開閉するパイロット弁４を備える。また、一次側流路１１内にあって一次側流路を流れる流体で駆動されて上記ブリード孔２１に挿通されたクリーニングピン５に少なくとも軸方向と交差する方向の動きを与える抵抗体５０を具備する。一次側流路１１を流れる流体を利用してクリーニングピン５にその軸方向と交差する動きを与えることで、ブリード孔２１の内面に付着した不純物も除去する。【選択図】  図１
2004316821.tif 000002
【特許請求の範囲】
【請求項１】
ダイアフラムで開閉される弁部の上流側である一次側流路と弁部の下流側である二次側流路のうちの一次側流路と、ダイアフラムの背後の背圧室とをブリード孔で連通させるとともに、背圧室に連通するパイロット孔を開閉するパイロット弁を備えた給水弁において、一次側流路内にあって一次側流路を流れる流体で駆動されて上記ブリード孔に挿通されたクリーニングピンに少なくとも軸方向と交差する方向の動きを与える抵抗体を具備していることを特徴とする給水弁。
【請求項２】
抵抗体及びクリーニングピンは一次側流路を備えるハウジング内にフリー状態で配設されていることを特徴とする請求項１記載の給水弁。
【請求項３】
抵抗体は一次側流路への流体の流入口の軸線付近に配設されていることを特徴とする請求項１または２記載の給水弁。
【発明の詳細な説明】
【０００１】
【発明の属する技術分野】
本発明は給水弁、殊にパイロット弁とブリード孔（サイドオリフィス）とを備えている給水弁に関するものである。
【０００２】
【従来の技術】
給水弁として、ダイアフラムで開閉される弁部の上流側である一次側流路と弁部の下流側である二次側流路のうちの一次側流路と、ダイアフラムの背後の背圧室とをブリード孔で連通させるとともに、背圧室に連通するパイロット孔をパイロット弁で開閉するタイプのものがある。特開２００２−２５０４２公報や特開２００１−２００９５１公報などにも示されている上記タイプの給水弁では、パイロット弁がパイロット孔を閉じている時、一次側流路からブリード孔を通じて背圧室に入った水の圧力でダイアフラムが弁部を閉じて一次側流路と二次側流路との間を遮断して止水状態となり、パイロット孔が開かれると、背圧室内の水がパイロット孔から流出して主弁部が開き、一次側流路の水は二次側流路へと流れる。
【０００３】
ここにおいて、上記給水弁ではそのブリード孔が異物やスケール堆積物、ぬめり、水垢等で目詰まりを起こすと動作不良を招くことになるために、ブリード孔の目詰まり防止のためのクリーニングピンを設けることが行われている。たとえば上記公報のうちの前者では、ダイアフラムに設けたブリード孔内に通されるクリーニングピンを給水弁のハウジングに固定して、ダイアフラムの動作に伴ってクリーニングピンがブリード孔内を相対的に移動するようにしており、後者では背圧室内に配したコイルばねの一端をクリーニングピンとしてブリード孔（サイドオリフィス）に挿通させている。
【０００４】
【特許文献１】
特開２００２−２５０４２号公報
【特許文献２】
特開２００１−２００９５１号公報
【０００５】
【発明が解決しようとする課題】
しかし、ブリード孔の機能の関係上、クリーニングピンはブリード孔の内径よりもかなり細くなければならず、加えるに上記両公報に示されたものでは、ダイアフラムの動作に伴ってクリーニングピンがブリード孔の軸方向に相対的に移動するだけであることから、異物やスケール堆積物、ぬめり、水垢、糊状皮膜等の不純物、殊にブリード孔の内壁に付着した不純物を十分に除去することができず、ブリード孔の断面積が減少して開弁及び閉弁動作に影響を与えてしまう。
【０００６】
本発明はこのような点に鑑みなされたものであって、その目的とするところはブリード孔の不純物による目詰りや不純物の内壁付着による動作不良を排除することができる給水弁を提供するにある。
【０００７】
【課題を解決するための手段】
しかして本発明は、ダイアフラムで開閉される弁部の上流側である一次側流路と弁部の下流側である二次側流路のうちの一次側流路と、ダイアフラムの背後の背圧室とをブリード孔で連通させるとともに、背圧室に連通するパイロット孔を開閉するパイロット弁を備えた給水弁において、一次側流路内にあって一次側流路を流れる流体で駆動されて上記ブリード孔に挿通されたクリーニングピンに少なくとも軸方向と交差する方向の動きを与える抵抗体を具備していることに特徴を有している。一次側流路を流れる流体を利用してクリーニングピンにその軸方向と交差する動きを与えることで、ブリード孔の内面に付着した不純物も除去することができるようにしたものである。
【０００８】
この場合、抵抗体及びクリーニングピンは一次側流路を備えるハウジング内にフリー状態で配設されていることが好ましく、また、抵抗体は一次側流路への流体の流入口の軸線付近に配設されていることが望ましい。
【０００９】
【発明の実施の形態】
以下本発明を実施の形態の一例に基づいて詳述すると、図１において、周縁がハウジング１０とカバー１５との間で挟持固定されているダイアフラム１は、その中央部にセンタープレート２が取り付けられているとともに、センタープレート２の中央にパイロット孔２０が設けられており、センタープレート２の外周寄りのところにブリード孔２１が設けられている。なお、パイロット孔２０及びブリード孔２１はダイアフラム１を貫通している。
【００１０】
一方、上記ハウジング１は中央に二次側流路１２を、周部に一次側流路１１を備えて二次側流路１２を囲む筒壁の一端が上記ダイアフラム１と対向する弁座１３となっているもので、外周面には一次側流路１１に連なる流入口１４が開口している。
【００１１】
そして上記弁座１３と共に主弁部を構成するダイアフラム１の背面とカバー１５との間には背圧室３が形成されており、先端面が上記パイロット孔２０を開閉するパイロット弁４が背圧室３内に出没自在に配されている。
【００１２】
パイロット弁４がパイロット孔２０を閉じている時、一次側流路１１からブリード孔２１を通じて背圧室３に入った水は、背圧室３内の圧力を高くしてダイアフラム１を押し下げ、ダイアフラム１を弁座１３に押し付けて、一次側流路１１と二次側流路１２との間を閉じる。
【００１３】
そして図２に示すようにパイロット弁４を動かしてパイロット孔２０を開放すれば、ブリード孔２１を通じて背圧室３内に流入する水の量よりも多くの量の水がパイロット孔２０を通じて二次側流路１２に排出されてしまうために、背圧室３内の水圧及び水量が低下し、ダイアフラム１は一次側流路１１の水の圧力で押されて弁座１３から離れ、主弁部を開く。このために一次側流路の水は二次側流路へと流れる。
【００１４】
ここで、ブリード孔２１の目詰まりの防止やブリード孔２１内壁への付着物の除去のために、クリーニングピン５をブリード孔２１に挿通しているのであるが、このクリーニングピン５には一次側流路１１内に位置して一次側流路１１内の水の流れに対して抵抗となる抵抗体５０を設けている。上記抵抗体５０は、水の流れで駆動されることでクリーニングピン５を軸方向と交差する方向に振動させるほか、抵抗体５０及びクリーニングピン５がハウジング１０内に自由支持状態で配されていることから、クリーニングピン５はその軸方向にも振動するものであり、また自由支持状態であることからこれらの方向への振動の振幅が大きくなっているものであり、この振動によってクリーニングピン５はブリード孔２１の内周面全面に摺接してブリード孔２１の目詰まりの原因となる固形状異物はもちろん、ブリード孔２１の内壁に付着した水垢や糊状被膜、ぬめり等も除去してしまう。
【００１５】
上記抵抗体５０は、水の流れに対して抵抗となる形状のものであれば良いものであり、図示のコイルばね形状のもののほか、図５に示すように、羽根車状のものなども好適に用いることができる。
【００１６】
クリーニングピン５の振動範囲、特にクリーニングピン５の軸方向と直交する方向の振動範囲は、ブリード孔２１の内径よりも大きくしておくのはもちろんであるが、ハウジング１０の流入口１４の軸線上、つまり流入口１４から一次側流路１１に流入するところに上記抵抗体５０を配置しておくことで、より効果的にクリーニングピン５を振動させることができる。
【００１７】
また、クリーニングピン５の抵抗体５０側の端部はハウジング１０に固定されていてもよいが、前述のように固定せずにクリーニングピン５がその軸方向にも自由に動き得るように、また大きな振動ストロークが得られるようにしておくほうが好ましい。また、抵抗体５０及びクリーニングピン５が過剰に振動した時にクリーニングピン５がブリード孔２１から抜け落ちてしまうことがないように、図４に示すようにハウジング１０内部に抵抗体５０及びクリーニングピン５の可動範囲を制限するリブ１６を設けておくとよい。
【００１８】
【発明の効果】
以上のように本発明においては、ダイアフラムで開閉される弁部の上流側である一次側流路と弁部の下流側である二次側流路のうちの一次側流路と、ダイアフラムの背後の背圧室とをブリード孔で連通させるとともに、背圧室に連通するパイロット孔を開閉するパイロット弁を備えた給水弁において、一次側流路内にあって一次側流路を流れる流体で駆動されて上記ブリード孔に挿通されたクリーニングピンに少なくとも軸方向と交差する方向の動きを与える抵抗体を具備していることから、つまりは一次側流路を流れる流体を利用してクリーニングピンにその軸方向と交差する動きを与えるために、ブリード孔の内面に付着した不純物もクリーニングピンで確実に除去することができるものであり、しかもこの除去のためのクリーニングピンの動きは、一次側流路内に水が流れている時には常に得られるものであって、開閉時のダイアフラムが動いている時にのみクリーニングピンがブリード孔に対して相対的に移動する従来例に比して、除去動作を行っている時間も長く、この点においても確実な目詰まり防止を行うことができる。
【００１９】
この時、抵抗体及びクリーニングピンは一次側流路を備えるハウジング内にフリー状態で配設されていると、クリーニングピンを軸方向にも動かしたりクリーニングピンの動きの振幅を容易に大きくすることができるために、より確実な目詰まり防止を行うことができる。
【００２０】
また、抵抗体が一次側流路への流体の流入口の軸線付近に配設されていると、一次側流路に流入口から流れ込む流体による抵抗体の駆動が確実になされるために、更に高い目詰まり防止効果を得ることができる。
【図面の簡単な説明】
【図１】本発明の実施の形態の一例の断面図である。
【図２】同上の開状態時の断面図である。
【図３】同上の部分拡大断面図である。
【図４】同上の水平線断面図である。
【図５】クリーニングピン及び抵抗体の斜視図である。
【符号の説明】
１  ダイアフラム
３  背圧室
４  パイロット弁
５  クリーニングピン
１１  一次側流路
１２  二次側流路
２０  パイロット孔
２１  ブリード孔
５０  抵抗体
【図１】
2004316821.tif 000003
【図２】
2004316821.tif 000004
【図３】
2004316821.tif 000005
【図４】
2004316821.tif 000006
【図５】
2004316821.tif 000007